(57)【要約】【課題】親局及び子局の改造を簡素化させた情報監視システムの異常監視方法を提供することにある。【解決手段】監視情報を収集・送信する子局２、子局からの監視情報を一括または集中して監視すると共にデータベース化する親局１が第１のネットワーク３接続され、子局に接続させた第２のネットワーク４とweb サーバ５を介して第３のネットワーク６にデータベース化された監視情報のサービスを受けるコンピュータ７が接続され、親局と子局との間及び子局とｗｅｂサーバとの間でTCP/IPによるコネクションを常時確立させておく。親局は子局とのコネクションを常時監視し、子局とのコネクションの切断を検知すると、子局が異常であると判断し、子局はweb サーバとのコネクションを常時監視し、web サーバとのコネクションの切断を検知すると、親局とのコネクションを切断し、親局は子局とのコネクションの切断を検知すると、web サーバが異常であると判断する。【選択図】図１
2008085928.tif 000002
【特許請求の範囲】
【請求項１】
監視情報を収集・送信する子局と、前記子局からの前記監視情報を一括または集中して監視すると共にデータベース化する親局とが第１のネットワークに接続され、前記子局に接続させた前記第１のネットワークと異なる第２のネットワークとweb サーバを介して前記第１及び第２のネットワークと異なる第３のネットワークにデータベース化された前記監視情報のサービスを受けるクライアントコンピュータが接続され、前記親局と子局との間及び前記子局とｗｅｂサーバとの間でTCP/IPによるコネクションを常時確立させて前記子局及びｗｅｂサーバの異常を監視する情報監視システムの異常監視方法であって、
前記親局は子局とのコネクションを常時監視し、前記子局とのコネクションの切断を検知すると、子局が異常であると判断し、
前記子局はweb サーバとのコネクションを常時監視し、前記web サーバとのコネクションの切断を検知すると、前記親局とのコネクションを切断し、
前記親局は子局とのコネクションの切断を検知すると、前記web サーバが異常であると判断する情報監視システムの異常監視方法。
【請求項２】
前記子局で前記監視情報をデータベース化する請求項１に記載の情報監視システムの異常監視方法。
【発明の詳細な説明】
【技術分野】
【０００１】
本発明は、監視情報を収集・送信する子局と、監視情報を監視すると共にデータベース化する親局とが第１のネットワークに接続され、子局が接続された第２のネットワークとweb サーバを介して第３のネットワークにデータベース化された情報のサービスを受けるクライアントコンピュータが接続された情報監視システムの異常監視方法に関するものである。
【背景技術】
【０００２】
監視対象となっている工場、ビル等のような比較的大規模の建造物には開閉器及び受配電変圧器を収容した電気室が設けられており、ここから建造物内に設けられた動力、電灯等の各負荷に電力供給を行っている。この建造物の所有者または管理者は監視情報として、例えば、各負荷の使用電力量を監視する場合、各負荷に対応して設けられた電力量計を一箇所に集中することが多い。この場合、一括または集中された監視情報は、例えば、電気室で監視されることになる。
【０００３】
また、上記のように一括または集中された監視情報を、複数の建造物に対し、さらに一括または集中して監視室で監視している。この場合、電気室が子局となり、監視室が親局となり、子局との監視情報のデータ伝送路として、上記建造物間に構築されているネットワークとしてのＬＡＮが使用されている。このようなネットワークを介して監視情報を伝送する情報監視システムは、例えば、特許文献１に示されている。
【０００４】
さらに、電力会社における情報監視システムでは、中央制御装置が親局となり、上記電気室または監視室が子局となり、子局との監視情報のデータ伝送路として、インターネットが使用されている。
【０００５】
ところで、親局または子局では通常、監視情報がデータベース化されており、この監視情報を提供する場合がある。
【０００６】
図３は監視情報を提供する場合の従来の一般的な情報監視システムを示す概略構成図である。情報監視システムは、監視情報を提供する場合、元のネットワークのセキュリティを確保するために、図示するように、共にサーバからなる、例えば１つの親局２１及び複数の子局２２が元のネットワークである第１のネットワーク３に接続されて構成される旧の情報監視システムに、子局２２の１つに接続させた第２のネットワーク４とweb サーバ５を介して第３のネットワーク６に監視情報のサービスを受けるクライアントコンピュータ７が接続されて構成されている。なおネットワークは、インターネット、イントラネット、ＬＡＮ等である。
【０００７】
旧の情報監視システムには、子局２２は監視情報を収集・送信し、親局２１は監視情報を一括または集中して監視すると共に、データベース化する機能が備えられている。
【０００８】
上記情報監視システムでは、親局２１で子局２２及びｗｅｂサーバ４の異常も監視させており、このために、親局と子局との間及び子局とｗｅｂサーバとの間でTCP/IP（上記ネットワークで標準的に用いられるプロトコル）によるコネクションを常時確立させ、親局は子局とのコネクションを常時監視し、また、子局はｗｅｂサーバとのコネクションを常時監視している。このようなTCP/IPによるコネクションは、例えば、特許文献２に示されている。
【０００９】
子局２２が故障して異常となった場合、親局２１と子局２２とのコネクションが自動的に切断されるので、図４（Ａ）に示した子局の異常を監視する処理のフローチャートに示すように、親局はこのコネクションの切断を検知する（Ｓ２１）と、子局が異常であると判断して（Ｓ２２）適宜の処理を行う。また、web サーバ４が故障して異常となった場合、子局とweb サーバとのコネクションが自動的に切断されるので、図４（Ｂ）に示したweb サーバの異常を監視する処理のフローチャートのように、
子局はこのコネクションの切断を検知する（Ｓ３１）と、コネクションの切断情報を親局に送信する（Ｓ３２）。親局はコネクションの切断情報を受信する（Ｓ３３）と、web サーバが異常であると判断して（Ｓ３４）適宜の処理を行う。
【００１０】
親局には、コネクションを常時監視するソフトウェア、コネクションが切断されたことを検知するソフトウェア、及びサーバが異常であることを判断するソフトウェア、また、コネクションの切断情報を受信するソフトウェアが組み込まれている。また子局には、コネクションを常時監視するソフトウェア、コネクションが切断されたことを検知するソフトウェア、及びコネクションの切断情報を親局に送信するソフトウェアが組み込まれている。
【特許文献１】特開平９−８４１５４号公報
【特許文献２】特開２００６−１８５１９４号公報
【発明の開示】
【発明が解決しようとする課題】
【００１１】
web サーバが故障して異常となった場合、子局ではweb サーバの異常を検知できるが、web サーバは親局から第１及び第２のネットワークを介して物理的に切り離された状態で接続されているので、親局ではweb サーバの異常を直接検知できない。そこで、子局を介して異常監視させることになる。この場合、子局はweb サーバとのコネクションが切断されたことを検知するので、このコネクションの切断情報を親局に送信させる機能を、監視情報を親局に送信させる機能に加えて子局に付加する必要があり、また、送信された切断情報を受信させる機能を、監視情報を受信させる機能に加えて親局に付加する必要があるために、親局及び子局の改造が煩雑になり、また、情報監視システムのコストがアップするという問題が生じる。さらに、クライアントコンピュータ７が増加すれば、情報監視システムのコストがさらにアップするという問題が生じる。
【００１２】
本発明の目的は、親局及び子局の改造を簡素化させた情報監視システムの異常監視方法を提供することにある。
【課題を解決するための手段】
【００１３】
請求項１に記載の発明は、監視情報を収集・送信する子局と、子局からの監視情報を一括または集中して監視すると共にデータベース化する親局とが第１のネットワークに接続され、子局に接続させた第１のネットワークと異なる第２のネットワークとweb サーバを介して第１及び第２のネットワークと異なる第３のネットワークにデータベース化された監視情報のサービスを受けるクライアントコンピュータが接続され、親局と子局との間及び子局とｗｅｂサーバとの間でTCP/IPによるコネクションを常時確立させて子局及びｗｅｂサーバの異常を監視する情報監視システムの異常監視方法を対象とし、親局は子局とのコネクションを常時監視し、子局とのコネクションの切断を検知すると、子局が異常であると判断し、子局はweb サーバとのコネクションを常時監視し、web サーバとのコネクションの切断を検知すると、親局とのコネクションを切断し、親局は子局とのコネクションの切断を検知すると、web サーバが異常であると判断するようにしたものである。
【００１４】
請求項２に記載の発明は、子局で監視情報をデータベース化するようにしたものである。
【発明の効果】
【００１５】
以上のように、請求項１に記載した発明によれば、親局及び子局の改造が簡素化されるので、情報監視システムの大幅なコストアップの防止を図ることができる。
【００１６】
以上のように、請求項２に記載した発明によれば、請求項１の効果に加えて、子局で監視情報をデータベース化した情報監視システムに適用することができる。
【発明を実施するための最良の形態】
【００１７】
図１は監視情報を提供する場合の本発明に係る情報監視システムの一実施形態を示す概略構成図である。なお構成図としては、図３と同じである。
【００１８】
情報監視システムは、図示するように、共にサーバからなる、例えば１つの親局１び複数の子局２が第１のネットワーク３に接続されて構成され、子局２の１つに接続させた第２のネットワーク４とweb サーバ５を介して第３のネットワーク６に監視情報のサービスを受けるクライアントコンピュータ７が接続されて構成されている。
【００１９】
上記情報監視システムには、子局２は監視情報を収集・送信し、親局１は監視情報を一括または集中して監視すると共に、データベース化する機能が備えられている。
【００２０】
上記情報監視システムでは、親局１で子局２及びｗｅｂサーバ４の異常をも監視させるために、親局と子局との間及び子局とｗｅｂサーバとの間でTCP/IPによるコネクションを常時確立させ、親局は子局とのコネクションを常時監視し、また、子局はｗｅｂサーバとのコネクションを常時監視している。
【００２１】
子局２が故障して異常となった場合、親局１と子局２とのコネクションが自動的に切断されるので、図２（Ａ）に示した子局の異常を監視する処理のフローチャートのように、親局はこのコネクションの切断を検知する（Ｓ１）と、子局が異常であると判断して（Ｓ２）適宜の処理を行う。また、web サーバ４が故障して異常となった場合、子局とweb サーバとのコネクションが自動的に切断されるので、図２（Ｂ）に示したweb サーバの異常を監視する処理のフローチャートのように、
子局はこのコネクションの切断を検知する（Ｓ１１）と、親局とのコネクションを切断する（Ｓ１２）。親局は子局とのコネクションの切断を検知する（Ｓ１３）と、web サーバが異常であると判断して（Ｓ１４）適宜の処理を行う。
【００２２】
親局には、コネクションを常時監視するソフトウェア、コネクションが切断されたことを検知するソフトウェア、及びサーバが異常であることを判断するソフトウェアが組み込まれている。また子局には、コネクションを常時監視するソフトウェア、コネクションが切断されたことを検知するソフトウェア、及びコネクションを切断するソフトウェアが組み込まれている。
【００２３】
本発明に係る情報監視システムの異常監視方法は、上記の監視情報に限定されなく全般の情報監視システムに適用できる。
【図面の簡単な説明】
【００２４】
【図１】監視情報を提供する場合の本発明に係る情報監視システムの一実施形態を示す概略構成図である。
【図２】（Ａ）は本発明に係る情報監視システムの子局の異常を監視する処理のフローチャート、（Ｂ）は本発明に係る情報監視システムのweb サーバの異常を監視する処理のフローチャートである。
【図３】監視情報を提供する場合の従来の一般的な情報監視システムを示す概略構成図である。
【図４】（Ａ）は従来の一般的な情報監視システムの子局の異常を監視する処理のフローチャート、（Ｂ）は従来の一般的な情報監視システムのweb サーバの異常を監視する処理のフローチャートである。
【符号の説明】
【００２５】
１  親局
２  子局
３  第１のネットワーク
４  第２のネットワーク
５  web サーバ
６  第３のネットワーク
７  クライアントコンピュータ
【図１】
2008085928.tif 000003
【図２】
2008085928.tif 000004
【図３】
2008085928.tif 000005
【図４】
2008085928.tif 000006